(57)【要約】  透過物収集のための、シームレス膜物質（４３）中に完全に封入されたある嵩を含んでなる膜袋（４０）；少なくとも１つの上記のシームレス膜袋を含んでなる濾過装置；膜型バイオリアクターにおける、水濾過又は廃水精製における、ならびに流体、蒸気及び粒子の混合物の濾過又は分離のための少なくとも１つの上記のシームレス膜袋の使用。２つのスペーサー布（１１，１２）がモノフィラメント（１５）により離れて置かれ、透過路（２３）を形成する。膜物質（４３，４４）が袋の境界（４１）に沿って該空間を満たす。【選択図】  図５
2010527290.tif 000002
【特許請求の範囲】
【請求項１】
透過物収集のための、シームレス膜物質中に完全に封入されたある嵩（ａ  ｖｏｌｕｍｅ）を含んでなる膜袋。
【請求項２】
該嵩が一体化透過路である請求項１に従う膜袋。
【請求項３】
該膜袋がさらに該嵩から透過物を抽出するための管［５１，１０５］を含んでなる請求項１又は２に従う膜袋。
【請求項４】
該膜袋がさらに該膜物質のための多孔質支持体を含んでなる請求項１〜３のいずれか１つに従う膜袋。
【請求項５】
該多孔質支持体がスペーサー布である請求項４に従う膜袋。
【請求項６】
該スペーサー布があらかじめ規定される距離でモノフィラメント糸により離れて置かれ且つ結び付けられた該スペーサー布［１０］の第１［１１，１０１］及び第２［１２，１０１’］部分を含んでなり、該スペーサー布の該第１及び第２部分は少なくとも部分的に該膜物質で埋め込まれ、該嵩は該第１及び第２部分の間に挟まれ、該膜物質は膜袋の境界に沿ってスペーサー布を満たし、該膜袋の境界は、該膜物質に埋め込まれた該スペーサー布の第１及び第２部分の間の空間を満たす膜物質から成る請求項５に従う膜袋。
【請求項７】
該膜物質で埋め込まれた該スペーサー布の該第１及び第２部分が互いに対して実質的に平行である請求項６に従う膜袋。
【請求項８】
該膜物質で少なくとも部分的に埋め込まれた該スペーサー布の該第１及び第２部分が実質的に平面状である請求項６又は７に従う膜袋。
【請求項９】
該スペーサー布が均一なスペーサー布である請求項５〜８のいずれか１項に従う膜袋。
【請求項１０】
該スペーサー布が不均一なスペーサー布である請求項５〜８のいずれか１項に従う膜袋。
【請求項１１】
該スペーサー布のいずれも、該嵩と不連続な該膜袋の最外表面上に暴露されていない請求項５〜１０のいずれか１項に従う膜袋。
【請求項１２】
該モノフィラメント糸が該スペーサー布の該第１［１１，１０１］及び第２［１２，１０１’］部分を介してループを形成し、該ループは該膜物質で埋め込まれる請求項６〜１１のいずれか１項に従う膜袋。
【請求項１３】
少なくとも１つの請求項１に従うシームレス膜袋を含んでなる濾過装置。
【請求項１４】
膜型バイオリアクターにおける少なくとも１つの請求項１に従うシームレス膜袋の使用。
【請求項１５】
水濾過又は廃水精製における少なくとも１つの請求項１に従うシームレス膜袋の使用。
【請求項１６】
流体、蒸気及び粒子の混合物の濾過又は分離のための少なくとも１つの請求項１に従うシームレス膜袋の使用。
【発明の詳細な説明】
【技術分野】
【０００１】
発明の分野
本発明は、シームレス膜物質を有する膜袋、その使用ならびにそのような膜袋が導入された膜ポケット又はカートリッジとしても知られる濾過装置に関する。
【背景技術】
【０００２】
発明の背景
近年、水分野（ｗａｔｅｒ−ｗｏｒｌｄ）において膜型バイオリアクター（ＭＢＲｓ）に多くの興味が持たれてきた。ＭＢＲは２つの基本的なプロセス−生分解及び膜分離−が１つのプロセスに組み合わされたものであり、ここでは懸濁された固体及び生分解を担う微生物が膜濾過装置により処理水から分離される。今日まで研究は、家庭、工業ならびに家庭及び工業混合廃水処理プラント、工業生産プロセスからの濃縮流、廃棄物処理部位からの浸出水の処理ならびに汚泥の脱水のためのＭＢＲｓの適用性に集中してきた。廃水用途のための膜型バイオリアクターの成功は、飲用水生産プロセスにおけるＭＢＲ概念の適用の研究に導いた。
【０００３】
廃水ＭＢＲ−用途において、リアクターにおける生物学的処理は膜濾過による物理的処理と組み合わされる。沈降プロセスの代わりに膜濾過を用いることにより、リアクターにおける高い汚泥装入量を保持することができ、それは（理論的に）低い汚泥生産を以って高い生分解速度に導く。１５〜２０ｇ／ｌの汚泥濃度がＭＢＲ−文献で言及されている。プロセスの高い有効性は、高度に濃縮された流れの処理及び小さいフットプリントを有するシステムの設計を可能にするであろう。事実、８〜１２ｇ／ｌの最大保持可能汚泥濃度の故に膜濾過に必要な面積がより小さいこと及び沈降タンクが不要になることにより、フットプリントは減少する。さらに、通常の沈降システムにおけるより高い汚泥生産速度が記録された。
【０００４】
特許文献１は、有機繊維から成る多孔質基材の表面上に多孔質樹脂層を形成することにより製造され、多孔質樹脂層を形成する樹脂の一部が多孔質基材の一部の少なくとも表面層中に浸透して少なくとも表面層部分において多孔質基材と複合層を形成する分離膜を開示している。
【０００５】
特許文献２は、多孔質基材の表面上に形成される多孔質樹脂層及び多孔質樹脂層を形成する樹脂の一部を多孔質基材と一体化させることにより形成される組み合わせ層を有し：２ｄＢ≦ｄＡ（ここでｄＡは処理されるべき液体の側の表面上の平均孔径であり；ｄＢは透過した液体の側の表面上の平均孔径である）の関係を満足する孔が多孔質樹脂層の両表面上に形成される分離膜を開示している。
【０００６】
特許文献３は、支持板の表面及び流路材料上の液体中の不純物を除去するための液体分離膜の両方の上に流路材料が配置された濾過膜要素（ｆｉｌｔｅｒ  ｍｅｍｂｒａｎｅ  ｅｌｅｍｅｎｔ）を開示しており、濾過膜要素は支持板の一部の上で支持板の両表面を貫通する水収集のためのギャップを有し；水収集のためのギャップは透過水の取り出し口の方向に配置され、透過水の出口と通じている。
【０００７】
特許文献４は、少なくとも１つの濾過装置を含んでなる平板積層フィルターカートリッジを開示しており、ここで該濾過装置は：内縁；該内縁の外周を囲み且つ該内縁から離れて置かれた外膜；該内縁と該外膜の間に延び、それぞれ該内縁に接着された全内周ならびに別の該外周の少なくとも１つ及び該外膜に接着されてそれらの間に空間を形成し、濾過
されるべき溶液の流路として働く全外周を有する上部及び下部濾過フィルム；ならびに該上部及び下部濾過フィルムの両面の少なくとも１つの上ならびに該上部及び下部濾過フィルムの間に配置された紙、不織布及びネットから作られる少なくとも１つのフィルム支持膜を含んでなる。特許文献４はさらに、濾過フィルム支持膜は上部及び下部濾過フィルムに全く接着されず、それは内側から濾過フィルムを支持するためのみに与えられることを開示している。
【０００８】
特許文献５は：隣接する膜カートリッジから適切に離れて互いに平行に垂直に置かれた複数の平らで硬い膜カートリッジ；互いに向き合った膜カートリッジの間に区画されるギャップと向かい合わせの膜カートリッジの膜表面に平行な流れを供給するためのクリーニング流発生手段；ならびに各膜カートリッジ中の透過液の通路に通じる各膜カートリッジ中の透過液を吸収するための吸収手段を含んでなる、処理タンク中の処理液中に浸された濾過膜モジュールを開示しており；各膜カートリッジは膜支持板及びその外面を覆う濾過膜を有し；濾過膜を支持する膜支持板は硬い構造部材の使用により中空にされ、板の内部は透過液の通路を形成し、膜支持板は濾過膜と向き合った表面上に形成される開口部を有し、開口部は透過液の通路に通じている。膜カートリッジは図２７に例示されるような膜袋であることができる。
【０００９】
特許文献６は、それぞれ濾過膜ポケットの内部空間の脱水のための少なくとも１つの開口部を有し、互いに平行に垂直に且つ好ましくは互いに同じ間隔で硬いホルダー中に置かれ、そして隣接濾過膜ポケットの間に介在する空間を液体が広範囲に横断するように配置された多数の濾過膜ポケットを有し、濾過膜ポケットが実質的に平らで柔軟であるように形成され、向かい合った面上で濾過膜ポケット開口部を介して吸収される液を奪い取る（ｃａｒｒｙｉｎｇ  ｏｆｆ）ための少なくとも１つの吸引ライン（ｓｕｃｔｉｏｎ  ｌｉｎｅ）を有するホルダーと固定的に連結されていることならびに濾過膜ポケットが柔軟な液体透過性コア及び／又は複数の柔軟な透過性コア要素を有することを特徴とする廃水のクリーニングのための濾過−モジュールを開示している。
【００１０】
特許文献７は、比較的柔軟で透過物の通過を許す縦に長い透過流通路材料ならびにその両側に沿って置かれた平らな部材を有し、封止部分は上端及びその左右両端において周囲端の３つの側をしっかりと接着することにより形成され、袋形態として形成される四辺形の平らな平面状膜を構成する要素を開示している。特許文献７はさらに、膜支持部材が備えられる平らな平面状膜の封止されない周囲端における片側は、膜支持部材の上部の両側の上の表面上に約１．５ｃｍの高さで重ねられ、平らな平面状膜を支持するために膜支持部材に融着されること；膜支持部材より厚さにおいて大きなヘッドが膜支持部材の両端において形成されること；ならびに膜支持部材の流路に通じ且つ透過物を取り出すために用いられるノズルがヘッドの両方に備えられることを開示している。
【００１１】
特許文献８は、第２の態様において、膜支持体の表面上に膜−形成性ポリマーの溶液を流延し、懸濁された（ｓｕｓｐｅｎｄｅｄ）固化浴中に支持体を沈めていわゆる転相法により半透膜部品を形成することによる平らな膜支持体の形成を開示しており、ここで定着効果により選択透過膜を支持体に接着することができ、ここで支持体の表面層を構成する不織布中への膜−形成性ポリマー溶液の浸透は、ゲル化の後に繊維により停止する。
【００１２】
上記の先行文献の膜板（フィルターポケット、４面の（ｆｏｕｒ−ｓｉｄｅｄ）平らな平面状膜を有する袋）は、別々の構成部品（２つの膜、スペーサー及び支持体）を一緒にし、２つの膜を互いに向かい合わせてそれらの膜支持体と一緒に置き、スペーサーをそれらの間に置いてギャップを作ることにより形成される。生ずる多数の構築段階；膜の剥離及びはがれを生ずるモジュール支持体への膜の劣った接着；ならびに膜のそれらの支持体への劣った接着の結果として十分な圧力を用いて膜をバック−フラッシング（ｂａｃｋ−
ｆｌｕｓｈｉｎｇ）できない故の運転上の問題を含むこれらの概念の弱点は、特許文献９及び特許文献１０において提出された。
【００１３】
特許文献９は、外部フィルター層及び膜材料の少なくとも１つの層を含んでなる、特に流体媒体の濾過のための枠なし板−形フィルター要素を開示しており、ここで外部フィルター層の間に少なくとも１つの内層が設けられ、それは少なくとも１つの面上に複数の突起を含んでなり、それは面を横切って分布し、互いからある間隔で取り付けられ、その突起の末端表面は外部流体−透過性層のための接触面を形成する。しかしながら強化構造への膜層の接着は劣っており、用いることができるバックフラッシュ圧を低くする。
【００１４】
特許文献１１は、支持体及び保護層としての布層を有する少なくとも１つのフィルター膜を持つフィルター媒体を開示しており、それは、別の布層を有する少なくとも１つの他のフィルター膜が支持体及び保護層として存在すること、２つの隣接するフィルター膜の間に第３の布層が延びていること、ならびに２つの隣接するフィルター膜が第３の布層を介して延びる２つの他の布層の糸を介して互いに連結していることを特徴とする。
【００１５】
特許文献１０は、あらかじめ規定される距離でモノフィラメント糸により結び付けられ且つ離れて置かれる上部及び下部布表面を有するスペーサー布から成る透過路を含んでなる一体化（ｉｎｔｅｇｒａｔｅｄ）透過路（ＩＰＣ）膜を開示しており、該透過路は２つの膜層の間に挟まれ、ここで該膜層は多数の点において該上部及び下部布表面を用いて連結されている。ＩＰＣ膜カートリッジは、バックフラッシュ圧への高い抵抗性を有し、それによりそれらの有効性を向上させ、且つ特許文献１０はさらに、ドープコーティングされた（ｄｏｐｅ  ｃｏａｔｅｄ）スペーサー布の両面上に異なる条件を適用することにより、両面において異なる孔径特性を有する非対称スペーサー布−強化膜を得ることが可能であることを開示している。
【００１６】
しかしながら、特許文献１０は以下の製造段階：
●スペーサー布準備段階：スペーサー布（編まれた、織られた又は不／織の）を巻き出し；スペーサー布を垂直位置に導き、そしてスペーサー布を広げて（二次加工方向に垂直に）折り目形成を妨げる；
●スペーサー布コーティング段階：ドープコーティングされたスペーサー布を得るための両面コーティング系及びスペーサー布の両面上における（両面において同じレベル）自動的なドープ供給を用いるドープの同時両面コーティング；
●表面孔形成段階：両面コーティングされたスペーサー布の水蒸気相との接触。ドープコーティングされたスペーサー布の両面に異なる条件を適用することにより、両面において異なる孔径特性を有する非対称スペーサー布−強化膜を得ることも可能である。
●嵩形成段階（ｂｕｌｋ  ｆｏｒｍａｔｉｏｎ  ｓｔｅｐ）：生成物の熱水浴中への凝析；
●後−処理段階：水溜めにおける化学品の洗い出し；ならびに
●乾燥段階：生成物の乾燥
を開示している。
【００１７】
特許文献１０は、膜層を通過せずに流体が透過路から又は透過路に直接移動するのを妨げるために配置される平面状膜の周辺（ｐｅｒｉｍｅｔｅｒ）におけるシーラントの好ましい存在も開示している。さらに、特許文献１０（用途１）に開示されているＩＰＣ−膜の使用の１つの例示において、エポキシ／ポリウレタンのようなシーラント、いずれかのゴム又はホットメルトあるいは融着でさえ、ＩＰＣ−ＭＢＲ膜１の少なくとも２つの（好ましくは向かい合った）端において密封するために必要であるとみなされた。ＩＰＣ−膜のそれぞれの封止には、１つのＩＰＣ−膜のための有意な手動調整（ｍａｎｕｔｅｎｔｉ
ｏｎ）が必要であり、高い生産コストを意味する。さらに、シーラントの存在は、隠された領域を作ってそれにより濾過有効性を低下させることにより、濾過プロセスの有効性を低下させる。さらに、ＩＰＣ膜で作られる膜カートリッジの封止は弱点を構成し得、それは許され得るバックフラッシュ圧を、及び膜カートリッジの濾過容量も制限する。
【００１８】
従って、膜を通過せずに流体が透過路から又は透過路に直接移動するのを妨げるために配置される膜の周辺におけるシーラントを必要としない一体化透過路を有する膜装置を開発するのが望ましい。
【００１９】
先行技術：
これまでに、以下の先行技術の文書が出願人に既知である：
２００５年４月１４日に公開された特許文献１１
１９９９年９月１４日に公開された特許文献７
２００１年１１月２０日に公開された特許文献３
２００３年５月１３日に公開された特許文献１
２００３年５月２０日に公開された特許文献２
１９９４年１月４日に公開された特許文献８
１９９６年１月９日に公開された特許文献５
２００３年５月８日に公開された特許文献６
２００６年２月１６日に公開された特許文献１０
２００６年６月１日に公開された特許文献９
【先行技術文献】
【特許文献】
【００２０】
【特許文献１】日本特許第２００３−１３５９３９Ａ号明細書
【特許文献２】日本特許第２００３−１４４８６９Ａ号明細書
【特許文献３】日本特許第２００１−３２１６４５号明細書（日本特許第２００１−３２１６４５Ａ号明細書）
【特許文献４】米国特許第４，８７１，４５６号明細書
【特許文献５】米国特許第５，４８２，６２５号明細書
【特許文献６】国際公開第０３／０３７４８９号パンフレット（国際公開第０３／０３７４８９Ａ号パンフレット）
【特許文献７】日本特許第１１−２４４６７２Ａ号明細書
【特許文献８】米国特許第５，２７５，７２５号明細書
【特許文献９】国際公開第２００６／０５６１５９Ａ号明細書
【特許文献１０】国際公開第２００６／０１５４６１Ａ号明細書
【特許文献１１】カナダ特許第２  ５５２  ５３３Ａ１号明細書
【発明の概要】
【発明が解決しようとする課題】
【００２１】
発明の側面
本発明の側面は、膜を通過せずに流体が透過路から又は透過路に直接移動するのを妨げるために配置される膜の周辺におけるシーラントを必要としない一体化透過路を有する膜装置を提供することである。
【００２２】
膜の最外表面におけるより大きな開口部を、膜と一体化透過路の間の界面に有する、非対称孔を持つ膜を有する膜装置を提供することも、本発明の側面である。
【００２３】
本発明のさらなる側面及び利点は、下記の記述から明らかになるであろう。
【課題を解決するための手段】
【００２４】
発明の概略
驚くべきことに、均一な構造を有するスペーサー布を含んでなるシームレス膜袋であって、ここでスペーサー布はあらかじめ規定される距離でモノフィラメント糸により離れて置かれ且つ結び付けられた布の第１及び第２部分を含んでなり、モノフィラメントスペーサー糸は、好ましくはスペーサー布の第１及び第２部分を介してループを形成し；場合によりループを有することができる布の第１及び第２部分に膜物質を含浸させてそれらの最内表面の間に一体化透過路を有する２つの膜を形成し；２つの膜は端を有し、膜のそれぞれの対応する端は膜間の距離を架橋する膜物質により連結され（ｊｏｉｎｅｄ  ｔｏｇｅｔｈｅｒ）；一体化透過路から透過物を抽出するために管が設けられ；そして好ましくはスペーサー布のいずれも一体化透過路と不連続な膜の最外表面上に暴露されないシームレス膜袋が実現され得ることが見出された。
【００２５】
さらに、驚くべきことに、そのようなシームレス膜袋は、膜の最外表面より大きな開口部を膜と一体化透過路の間の界面に有する所望の非対称孔を有することが見出された。
【００２６】
本発明の側面は、シームレス膜物質中に完全に封入された透過物収集のためのある嵩（ａ  ｖｏｌｕｍｅ）を含んでなる膜袋により与えられる。
【００２７】
本発明の側面は、少なくとも１つの上記の膜袋を含んでなる濾過装置によっても与えられる。
【００２８】
本発明の側面は、膜型バイオリアクターにおける少なくとも１つの上記の膜袋の使用によっても与えられる。
【００２９】
本発明の側面は、水濾過又は廃水精製における少なくとも１つの上記の膜袋の使用によっても与えられる。
【００３０】
本発明の側面は、流体、蒸気及び粒子の混合物の濾過又は分離のための少なくとも１つの上記の膜袋の使用によっても与えられる。
【００３１】
本発明のさらなる側面は、従属クレイムにおいて開示される。
【発明を実施するための形態】
【００３２】
詳細な記述：
定義
本発明の開示において用いられる「シームレス」という用語は、膜濾過に関与することができない接着剤、積層、プレス成形（ｐｒｅｓｓｉｎｇ）、融着などからのような継ぎ目がないことを意味する。結果として、膜袋［４０］の膜物質［４３，１０４］は、すべ
ての方向において全体が多孔質である。
【００３３】
本発明の開示において用いられる「膜袋」という用語は、少なくとも１つの膜を含んでなる袋を意味する。
【００３４】
本発明の開示において用いられる「シームレス膜袋」という用語は、その嵩から透過物を抽出するための場合による管を除いて、シームレス膜物質（膜材料）中に完全に封入された透過物収集のためのある嵩を意味する。
【００３５】
本発明の開示において用いられる「一体化透過路」という用語は、膜袋中に封入された嵩を意味し、すなわち透過路は膜袋自身から分離不可能である。
【００３６】
本発明の開示において用いられる「スペーサー布」という用語は、例えば表糸及びパイル糸から構成される糸の３次元一体構造を有する布を意味する。そのような布は織布又は不織布であることができ、そして好ましくは編布、編組布（ｂｒａｉｄｅｄ）又はかぎ針編布（ｃｒｏｃｈｅｔｅｄ）である。
【００３７】
本発明の開示において用いられる「均一なスペーサー布」という用語は、布の第１及び第２部分中に異なる網目寸法を有する領域がないスペーサー布を意味する。これは、異なる網目寸法を有するスペーサー布の第１及び第２部分を排除しない。
【００３８】
本発明の開示において用いられる「不均一スペーサー布」という用語は、異なる網目寸法を有する布の第１及び第２部分の領域があるスペーサー布を意味する。
【００３９】
本発明の開示において用いられる「スペーサー布の部分」という用語は、スペーサー布の一体部分又は層を意味する。
【００４０】
本発明の開示において用いられる「膜物質」という用語は膜材料、すなわち膜性を有する材料である。膜物質は均一又は不均一であることができる。
【００４１】
本発明の開示において用いられる「膜袋の境界」という用語は、膜袋の端を区画するために、スペーサー布の膜物質を含浸させられた第１及び第２部分の間のあらかじめ区画される空間が膜物質により満たされている、すなわちスペーサー布の第１及び第２部分が膜物質により架橋されている膜袋の部分を意味する。
【００４２】
本発明の開示において用いられる「スペーサー布の第１及び第２層を膜物質でコーティングする」という用語は、スペーサー布の第１及び第２層（部分）に膜物質を適用することを意味し、膜物質は適用条件に依存してスペーサー布の第１及び第２層（部分）に部分的に又は完全に浸透し、それによりスペーサー布の第１及び第２部分を部分的に又は完全に膜物質で埋め込む。
【００４３】
本発明の開示において用いられる「膜物質で埋め込まれる」という用語は、膜物質を含浸させられ、埋め込みの結果となることを意味する。
【００４４】
本発明の開示において用いられる「膜物質を含浸させられた」という用語は、例えばドクターブレードコーティング、押出コーティング又はスロットコーティングのようなコーティング法を用いて、膜ドープがスペーサー布に浸透し、続いて膜ドープが膜物質に転換されるようなやり方で、膜ドープをスペーサー布に適用した結果を意味する。
【００４５】
本発明の開示において用いられる「連続領域」という用語は、典型的には直線状（ｒｅ
ｃｔｉｌｉｎｅａｒ）であるあらかじめ区画される領域を囲む領域を意味する。１つのあらかじめ区画される領域を囲む連続領域の部分は、隣接するあらかじめ区画される領域を囲む連続領域の一部を形成することができるか、あるいは隣接する連続領域間に膜ドープの含浸がないギャップがあることができる。
【００４６】
本発明の開示において用いられる「膜ドープ」という用語は、続く少なくとも１つのプロセス段階中に膜物質に転換され得る単数又は複数の組成物を意味する。
【００４７】
本発明の開示において用いられる「網目」という用語は、網目構造又は布中に封入されるすべての種類の開放空間を意味する。従って「網目」という用語は、網目又は布内の孔又は開口部も指す。
【００４８】
本発明の開示において用いられる「実質的に平面状の」という用語は、巨視的な湾曲を有していないことを意味する。
【００４９】
本発明の開示において用いられる「実質的に平行な」という用語は、−２５°〜＋２５°の互いに対する角度を有することを意味する。この平行性は、一体化透過路の一体化性の故に、いずれの膜袋の形にも関係する。
【００５０】
本発明の開示において用いられる「実質的に垂直な」という用語は、７０°〜１１０°の輸送方向に対する角度を有することを意味する。
【００５１】
本発明の開示において用いられる「実質的に含まない」という用語は、３０％未満、好ましくは２０％未満そして好ましくは１０％未満を意味する。
【００５２】
本発明の開示において用いられる「膜継ぎ目」という用語は、膜物質から成る実質的に平行な膜の端の間の接合部を意味する。
【００５３】
「スロットのリップ」という用語は、布の輸送方向に垂直に置かれるスロットの場合、スロットのいずれかの面上にある輸送方向に平行な含浸ヘッドの部分を意味する。
【００５４】
本発明の開示において用いられる「スロットのリップの長さ」という用語は、輸送方向に垂直なスロットの端と輸送方向に平行な含浸ヘッドの隣接する部分の端の間の距離、すなわち図９における「Ｌ１」又は「Ｌ２」を意味する。
【００５５】
本発明の開示において用いられる「スロット面」という用語は、スロットの４つの面を形成する表面を意味する。
【００５６】
本発明の開示において用いられる「スロット開口部の高さ」という用語は、布の輸送方向に垂直なスロット面の間の平均距離、すなわち図９における「ｈ」を意味する。
【００５７】
本発明の開示において用いられる「スロットの高さ」という用語は、スロット開口部とスロットに連結されるマニホールドの間の距離、すなわち図９におけるｋを意味する。
【図面の簡単な説明】
【００５８】
図の簡単な記述
【図１】図１は、モノフィラメント糸により離れて置かれた第１及び第２部分を有する不均一スペーサー布の略図を示す。スペーサー布は、第２領域により範囲を定められた第１領域を含んでなる。
【図２】図２は、本発明に従うが、一体化透過路から透過物を抽出するための管がない、均一構造を有するスペーサー布を含んでなるシームレス膜袋の略図を示す。
【図３】図３は、一体化透過路から透過物を抽出するための管を有する、本発明に従うシームレス膜袋の略図を示す。
【図４】図４は、透過物収集のための嵩が底面及び上面の両方において、ならびに側壁に沿って完全に膜物質により封入されている、不均一構造を有するスペーサー布を含んでなるシームレス膜袋の断面の略図を示す。
【図５】図５は、袋の側壁を介して挿入される透過物の収集のための管を含んでなる、図４のシームレス膜袋の略図を示す。
【図６】図６は、膜に平行な一体化透過路を貫く断面としての、個々の袋に分離される前の、均一構造を有するスペーサー布を含んでなるシームレス膜袋の列の一部の略図を示し、ここで灰色の領域は膜物質を示し、矢印はスペーサー布の輸送方向を示す。
【図７】図７は、４つのシームレス膜袋を側面において示す、シームレス膜袋の端の間の中間の図６の断面に垂直な断面としての、個々の袋に分離される前の、均一構造を有するスペーサー布を含んでなるシームレス膜袋の列の一部の略図を示し、ここで矢印はスペーサー布の輸送方向を示す。
【図８】図８は、スペーサー布の第１及び第２部分が少なくとも部分的に膜ドープで埋め込まれるのみでなく、それらの間の空間も膜ドープで満たされるあらかじめ区画される連続領域の含浸のための、より詳細な膜ドープ含浸／埋め込み系を略図的に示す。
【図９】図９は、輸送方向に平行な連続領域の部分において増加する量の膜ドープを与え、それによりあらかじめ区画される領域において、膜ドープを用いる少なくとも部分的なスペーサー布の第１及び第２部分の埋め込みのみでなく、それらの間の空間の充填も実現されるように適応させられた含浸ヘッド［１０６］及び［１０６’］を略図的に示す。
【図１０】図１０は、本発明に従う均一構造を有するスペーサー布を含んでなるシームレス膜袋のための製造ラインの略図を示し、ここで［１０８］は供給ローラーであり、［１０９］は補正ローラーであり、［１１０］は膜ドープ含浸系であり、［１１１］は蒸気相（冷蒸気）（転相のため）であり、［１１２］は浸漬浴（転相のため）であり、［１１３］は輸送ローラーであり、そして［１１４］は巻き取りローラーである。
【図１１】図１１は、膜ドープを含浸させられた図１の不均一スペーサー布の断面の略図を示す。
【図１２】図１２は、スペーサー布に膜ドープを含浸させ／埋め込むため及び膜ドープを膜物質に転換するための、不均一構造を有するスペーサー布を含んでなるシームレス膜袋用の製造ラインの略図を示す。
【００５９】
シームレス膜物質を有する膜袋
本発明の側面は、透過物収集のためのある嵩を含んでなる膜袋により与えられ、ここで嵩はシームレス膜物質中に完全に封入される。
【００６０】
本発明に従う膜袋の第１の態様に従うと、嵩は一体化透過路である。
【００６１】
本発明に従う膜袋の第２の態様に従うと、膜袋はさらに、嵩から透過物を抽出するための管［５１，１０５］を含んでなる。
【００６２】
本発明に従う膜袋の第３の態様に従うと、膜袋はさらに、膜物質のための多孔質支持体を含んでなる。
【００６３】
本発明に従う膜袋の第４の態様に従うと、膜袋はさらに膜物質のための多孔質支持体を含んでなり、多孔質支持体はスペーサー布である。
【００６４】
本発明に従う膜袋の第５の態様に従うと、膜袋はさらに、スペーサー布を含んでなる。
【００６５】
本発明に従う膜袋の第６の態様に従うと、膜袋はさらにスペーサー布を含んでなり、ここでスペーサー布はあらかじめ規定される距離でモノフィラメント糸により離れて置かれ且つ結び付けられたスペーサー布［１０］の第１［１１，１０１］及び第２［１２，１０１’］部分を含んでなり、０．５〜１５ｍｍの布の第１及び第２部分の間の距離が好ましく、１〜１０ｍｍの距離が特に好ましく、１．５〜７ｍｍの距離が特別に好ましい。
【００６６】
本発明に従う膜袋の第７の態様に従うと、膜袋はさらにスペーサー布を含んでなり、ここでスペーサー布はあらかじめ規定される距離でモノフィラメント糸により離れて置かれ且つ結び付けられたスペーサー布［１０］の第１［１１，１０１］及び第２［１２，１０１’］部分を含んでなり、モノフィラメント糸の一部は膜物質中に埋め込まれる。
【００６７】
本発明に従う膜袋の第８の態様に従うと、膜袋はさらにスペーサー布を含んでなり、ここでスペーサー布はあらかじめ規定される距離でモノフィラメント糸により離れて置かれ且つ結び付けられたスペーサー布［１０］の第１［１１，１０１］及び第２［１２，１０１’］部分を含んでなり、あらかじめ規定される距離におけるモノフィラメント糸を用いる布の第１及び第２部分の結び付けは、布層を構成しない。
【００６８】
本発明に従う膜袋の第９の態様に従うと、膜袋はさらにスペーサー布を含んでなり、ここでスペーサー布はあらかじめ規定される距離でモノフィラメント糸により離れて置かれ且つ結び付けられたスペーサー布［１０］の第１［１１，１０１］及び第２［１２，１０１’］部分を含んでなり、布の第１及び第２部分の結び付けは、第３の布層を貫いて延びる２つの他の布層の糸を介する２つの隣接する濾過膜の互いへの連結を構成しない。
【００６９】
本発明に従う膜袋の第１０の態様に従うと、膜袋はさらにスペーサー布を含んでなり、ここでスペーサー布はあらかじめ規定される距離でモノフィラメント糸により離れて置かれ且つ結び付けられたスペーサー布［１０］の第１［１１，１０１］及び第２［１２，１０１’］部分を含んでなり、スペーサー布の第１及び第２部分は保護層を構成しない。
【００７０】
本発明に従う膜袋の第１１の態様に従うと、膜袋はさらにスペーサー布を含んでなり、ここでスペーサー布はあらかじめ規定される距離でモノフィラメント糸により離れて置かれ且つ結び付けられたスペーサー布［１０］の第１［１１，１０１］及び第２［１２，１０１’］部分を含んでなり、布の第１及び第２部分を結び付けているモノフィラメント糸により占有される嵩のパーセンテージは３０％もしくはそれ未満であり、１０％もしくはそれ未満が好ましく、５％もしくはそれ未満が特に好ましい。
【００７１】
本発明に従う膜袋の第１２の態様に従うと、膜袋はさらにスペーサー布を含んでなり、ここでスペーサー布はあらかじめ規定される距離でモノフィラメント糸により離れて置かれ且つ結び付けられたスペーサー布［１０］の第１［１１，１０１］及び第２［１２，１０１’］部分を含んでなり、スペーサー布の第１及び第２部分は少なくとも部分的に膜物質で埋め込まれ、嵩が第１及び第２部分の間にはさまれ、膜物質が膜袋の境界に沿ってスペーサー布を満たし、膜袋の境界は、膜物質で埋め込まれたスペーサー布の第１及び第２部分の間の空間を満たす膜物質から成る。
【００７２】
本発明に従う膜袋の第１３の態様に従うと、嵩は実質的に膜物質を含まない。
【００７３】
本発明に従う膜袋の第１４の態様に従うと、膜袋はさらにスペーサー布を含んでなり、ここでスペーサー布はあらかじめ規定される距離でモノフィラメント糸により離れて置かれ且つ結び付けられたスペーサー布［１０］の第１［１１，１０１］及び第２［１２，１０１’］部分を含んでなり、スペーサー布の第１及び第２部分は少なくとも部分的に膜物質で埋め込まれ、モノフィラメント糸は好ましくはスペーサー布の第１［１１，１０１］
及び第２［１２，１０１’］部分を介してループを形成し、そして特に好ましくは、ループは膜物質で埋め込まれ／含浸させられている。膜構造中へのそのようなモノフィラメント糸のループの導入は、ループが動く自由がないことを意味し、それはシームレス袋を非常に硬くし、大きな表面、例えば２ｍｘ２ｍを有する膜袋の製造を可能にする。
【００７４】
本発明に従う膜袋の第１５の態様に従うと、膜袋はさらにスペーサー布を含んでなり、ここでスペーサー布はあらかじめ規定される距離でモノフィラメント糸により離れて置かれ且つ結び付けられたスペーサー布［１０］の第１［１１，１０１］及び第２［１２，１０１’］部分を含んでなり、スペーサー布の第１及び第２部分は膜物質で少なくとも５０％埋め込まれ／含浸させられ、膜物質で少なくとも８０％埋め込まれ／含浸させられるのが好ましい。
【００７５】
本発明に従う膜袋の第１６の態様に従うと、膜袋はさらにスペーサー布を含んでなり、ここでスペーサー布はあらかじめ規定される距離でモノフィラメント糸により離れて置かれ且つ結び付けられたスペーサー布［１０］の第１［１１，１０１］及び第２［１２，１０１’］部分を含んでなり、スペーサー布の第１及び第２部分は、嵩と不連続なスペーサー布の第２部分の最外表面の上に少なくとも２０μｍの厚さが与えられるように、膜物質を含浸させられ、膜物質の少なくとも５０μｍの厚さが好ましい。
【００７６】
本発明に従う膜袋の第１７の態様に従うと、膜袋はさらにスペーサー布を含んでなり、ここでスペーサー布はあらかじめ規定される距離でモノフィラメント糸により離れて置かれ且つ結び付けられたスペーサー布［１０］の第１［１１，１０１］及び第２［１２，１０１’］部分を含んでなり、スペーサー布の第１及び第２部分は少なくとも部分的に膜物質で埋め込まれ、膜物質で埋め込まれたスペーサー布の第１及び第２部分は実質的に互いに対して平行であり、±１ｍｍの互いに対する平行性が好ましい。
【００７７】
本発明に従う膜袋の第１８の態様に従うと、膜袋はさらにスペーサー布を含んでなり、ここでスペーサー布はスペーサー布［１０］の第１［１１，１０１］及び第２［１２，１０１’］部分を含んでなり、スペーサー布の第１及び第２部分は少なくとも部分的に膜物質で埋め込まれ、少なくとも部分的に膜物質で埋め込まれたスペーサー布の第１及び第２部分は実質的に平面状である。
【００７８】
本発明に従う膜袋の第１９の態様に従うと、膜物質は、嵩と不連続な膜袋の最外表面における開口部より大きな開口部を、膜物質と嵩の間の界面に有する非対称孔を持つ膜を与える。
【００７９】
本発明に従う膜袋の第２０の態様に従うと、膜袋はさらにスペーサー布を含んでなり、スペーサー布のいずれも、嵩と不連続な膜袋の最外表面上に暴露されていない。
【００８０】
本発明に従う膜袋の第２１の態様に従うと、膜袋はスペーサー布（１０］を含んでなり、スペーサー布はスペーサー布の第１（１１］及び第２（１２］部分を含んでなり、ここで：スペーサー布の第１及び第２部分はあらかじめ規定される距離でモノフィラメント糸（１５］により離れて置かれ且つ結び付けられ；スペーサー布の第１及び第２部分は、少なくとも部分的に膜物質で埋め込まれ；透過物収集のための嵩がスペーサー布の第１及び第２部分の間にはさまれ；膜物質はモノフィラメント糸の一部を埋め込み；膜物質は膜袋の境界に沿ってスペーサー布を完全に満たし；且つここで嵩はそれにより膜物質（４３］中に完全に封入され、膜袋をシームレスにする。
【００８１】
膜袋［４０］は、好ましくは一定のあらかじめ規定される距離でモノフィラメント糸［１５，１０３］により結び付けられ且つ離れて置かれる第１部分［１１，１０１］及び第
２［１２，１０１’］部分を含んでなるスペーサー布を含む。スペーサー布内に、部分［１１，１０１］及び［１２，１０１’］の間にはさまれて嵩［２３，１０２］が位置する。第１部分［１１］及び第２部分［１２］の両方は網目を含んでなる布で作られ、膜物質［４３，１０４］を含浸させられる。膜物質［４３，１０４］は、含浸の故に多数の点で第１部分［１１，１０１］及び第２［１２，１０１’］部分に結合する。多数の点は膜袋の表面全体に及んで広がり、これらの点は好ましくは第１及び第２部分全体に均一に広がっている。膜物質［４３，１０４］は、第１及び第２部分の布の網目を満たす及び／又は塞ぐために、少なくとも部分的に第１［１１］及び第２［１２］部分を埋め込む。膜物質はスペーサー糸［１５，１０３］の一部も埋め込み、ここでこれらの部分はスペーサー布の第１［１１，１０１］又は第２［１２，１０１’］部分と噛み合っている。
【００８２】
膜袋［４０］の境界［４１］に沿って、スペーサー布は完全に−内側［４４］においても−膜物質で満たされる。結果として嵩［２３］は完全に封入され、膜物質［４３，１０４］により周囲から隔離される。膜物質［４３，１０４］は嵩［２３，１０２］の回り全体、間に嵩［２３，１０２］が挟まれている第１部分［１１，１０１］及び第２部分［１２，１０１’］上の両方ならびに又２つの部分［１１，１０１］及び［１２，１０１’］の間の袋の端［４４］に沿って与えられる。
【００８３】
本発明に従う膜袋の第２２の態様に従うと、膜袋はさらにスペーサー布を含んでなり、ここでスペーサー布はあらかじめ規定される距離でモノフィラメント糸により離れて置かれ且つ結び付けられたスペーサー布［１０］の第１［１１，１０１］及び第２［１２，１０１’］部分を含んでなり、スペーサー布の第１及び第２部分の一部は、透過物収集のための嵩の領域内の多数の点で膜物質中に埋め込まれている。
【００８４】
本発明に従う膜袋の第２３の態様に従うと、膜袋はさらにスペーサー布を含んでなり、ここでスペーサー布はあらかじめ規定される距離でモノフィラメント糸により離れて置かれ且つ結び付けられたスペーサー布［１０］の第１［１１，１０１］及び第２［１２，１０１’］部分を含んでなり、スペーサー布の第１及び第２部分中に含まれる網目は膜物質により満たされる。
【００８５】
本発明に従う膜袋の第２４の態様に従うと、膜袋はさらに不均一スペーサー布を含んでなり、不均一スペーサー布は、第１の構造を有するスペーサー布の第１及び第２部分の１つもしくはそれより多い第１領域ならびに第２の構造を有するスペーサー布の第１及び第２部分の１つもしくはそれより多い第２領域を含んでなる。
【００８６】
図４に示される１つの態様に従うと、膜物質［４３，１０４］中に封入された嵩［２３，１０２］を含んでなる膜袋［４０］が与えられる。嵩［２３，１０２］は、透過物収集に適しているような寸法を有する。従って、封入された嵩［２３］を透過路とみなすことができる。
【００８７】
膜袋［４０］は、例えば長方形の底を有する角柱様の形を有することができるが、他の形は等しく可能である（例えば円筒形）。封入された嵩［２３，１０２］も長方形の底［４２］及び側壁［４４］を有する角柱様の形を有することができ、側壁の高さはスペーサー布の第１部分［１１，１０１］及び第２部分［１２，１０１’］の間の間隔により規定される。
【００８８】
本発明に従う膜袋の第２５の態様に従うと、膜袋は少なくとも１０バールのバックウォッシュ（ｂａｃｋｗａｓｈ）圧に耐えることができる。
【００８９】
本発明に従う膜袋の第２６の態様に従うと、膜物質は全体的に且つすべての方向におい
て多孔質である。
【００９０】
本発明に従うスペーサー布を含んでなる膜袋の第２７の態様に従うと、膜は巻き取りローラー上で巻き取られることができる。
【００９１】
本発明に従う膜袋の第２８の態様に従うと、膜袋はさらに少なくとも１種の汚染物、例えばペルフルオロ−オクタン酸（ＰＦＯＡ）を吸着するための媒体を含んでなる。
【００９２】
本発明に従う均一構造を有するスペーサー布を含んでなる典型的なシームレス膜袋は、０．５ｍｘ０．５ｍ、０．５ｍｘ１ｍ、１．５ｍｘ０．７ｍ及び１．０ｍｘ１．０ｍの寸法を有する。本発明に従う０．１ｍｘ０．１ｍの寸法を有するシームレス膜袋が製造され、それを最高で少なくとも１７バールの圧力でバック−フラッシングすることができる。
【００９３】
本発明に従う均一構造を有するスペーサー布を含んでなるシームレス膜袋を、材料の選択に依存して、最高で１２０℃の温度で用いることができる。
【００９４】
均一スペーサー布に基づくシームレス膜物質を有する膜袋
本発明に従う膜袋の第２９の態様に従うと、膜袋はさらに均一なスペーサー布を含んでなる。
【００９５】
本発明の側面は、均一なスペーサー布（１０］、透過物収集のためのある嵩（２３］を含んでなる膜袋により実現され、スペーサー布はスペーサー布の第１（１１］及び第２（１２］部分を含んでなり、ここで：スペーサー布の第１及び第２部分はあらかじめ規定される距離でモノフィラメント糸（１５］により離れて置かれ且つ結び付けられ；スペーサー布の第１及び第２部分は、少なくとも部分的に膜物質で埋め込まれ；透過物収集のための嵩がスペーサー布の第１及び第２部分の間に挟まれ；膜物質はモノフィラメント糸の一部を埋め込み；膜物質は膜袋の境界に沿ってスペーサー布を満たし；且つここで嵩を完全に封入する膜物質（４３］はシームレスである。
【００９６】
本発明の側面は、均一構造を有するスペーサー布を含んでなる膜袋により実現され、スペーサー布はあらかじめ規定される距離でモノフィラメント糸により離れて置かれ且つ結び付けられた布の第１及び第２部分を含んでなり、モノフィラメントスペーサー糸は、好ましくはスペーサー布の第１及び第２部分を介してループを形成し；ここで場合によりループを有することができる布の第１及び第２部分に膜物質を含浸させて、好ましくは互いに対して実質的に平行であり、且つそれらの最内表面の間に一体化透過路を有する２つの膜を形成し、２つの膜は好ましくは非対称な孔及び端を有し、膜のそれぞれの対応する端は膜間の距離を架橋する膜物質により連結され、一体化透過路から透過物を抽出するために管が設けられ、そして好ましくはスペーサー布のいずれも膜の最外表面上に暴露されない。
【００９７】
図２は、本発明に従うが、一体化透過路から透過物を抽出するための管がない、均一構造を有するスペーサー布を含んでなるシームレス膜袋の略図を示し、ここで［１０１］はスペーサー布の第１部分であり、［１０１’］は第２部分であり、［１０２］はモノフィラメントスペーサー糸［１０３］を用いて保持されるスペーサー布の第１及び第２部分の間の空間である。膜物質は番号［１０４］により示される。
【００９８】
図３は、一体化透過路から透過物を抽出するための管［１０５］を有する、本発明に従う均一構造を有するスペーサー布を含んでなるシームレス膜袋の略図を示す。［１０１］はスペーサー布の第１部分であり、［１０１’］は第２部分であり、［１０２］はモノフィラメントスペーサー糸［１０３］を用いて保持されるスペーサー布の第１及び第２部分
の間の空間である。膜物質は番号［１０４］により示される。
【００９９】
不均一スペーサー布に基づくシームレス膜物質を有する膜袋
本発明に従う膜袋の第３０の態様に従うと、膜袋はさらに不均一なスペーサー布を含んでなる。
【０１００】
本発明の側面は、スペーサー布（１０］及び透過物収集のためのある嵩（２３］を含んでなる膜袋によっても実現され、スペーサー布はスペーサー布の第１（１１］及び第２（１２］部分を含んでなり、ここでスペーサー布の第１及び第２部分はあらかじめ規定される距離でモノフィラメント糸（１５］により離れて置かれ且つ結び付けられ；スペーサー布（１０］は、第１部分中の布及び第２部分中の布が第１の構造を有する１つもしくはそれより多い第１領域（１３］ならびに第１部分中の布及び第２部分中の布が第２の構造を有する１つもしくはそれより多い第２領域（１４］を含んでなり、第２の構造は第１の構造より大きい網目を有し；１つもしくはそれより多い第１領域のそれぞれは、１つもしくはそれより多い第２領域により完全に回りの範囲を定められ；１つもしくはそれより多い第１領域において、スペーサー布の第１部分及び第２部分は少なくとも部分的に膜物質で埋め込まれて、第１部分及び第２部分の間に膜物質を含まない嵩（２３］を残し；スペーサー布の１つもしくはそれより多い第２領域において、スペーサー布は膜物質で満たされている。
【０１０１】
本発明に従う不均一なスペーサー布を含んでなる膜袋の第１の態様に従うと、スペーサー布は、あらかじめ規定される距離でモノフィラメント糸を用いて離して置かれ且つ結び付けられたスペーサー布の第１及び第２部分を含んでなり、スペーサー布の第１及び第２部分はそれぞれ第１の構造を有する１つもしくはそれより多い第１領域及び第２の構造を有する１つもしくはそれより多い第２領域を含んでなる。
【０１０２】
本発明に従う不均一なスペーサー布を含んでなる膜袋の第２の態様に従うと、スペーサー布は、あらかじめ規定される距離でモノフィラメント糸を用いて離して置かれ且つ結び付けられたスペーサー布の第１及び第２部分を含んでなり、スペーサー布の第１及び第２部分はそれぞれ第１の構造を有する１つもしくはそれより多い第１領域及び第２の構造を有する１つもしくはそれより多い第２領域を含んでなり、そしてスペーサー布の第１及び第２部分はそれぞれ第１領域の繰り返しパターンを含んでなる。
【０１０３】
本発明に従う不均一なスペーサー布を含んでなる膜袋の第３の態様に従うと、スペーサー布は、あらかじめ規定される距離でモノフィラメント糸を用いて離して置かれ且つ結び付けられたスペーサー布の第１及び第２部分を含んでなり、スペーサー布の第１及び第２部分はそれぞれ第１の構造を有する１つもしくはそれより多い第１領域及び第２の構造を有する１つもしくはそれより多い第２領域を含んでなり、そしてスペーサー布の第１及び第２部分のそれぞれにおいて、１つの第２領域は第１領域のそれぞれを輪郭付ける（囲む）。
【０１０４】
本発明に従う不均一なスペーサー布を含んでなる膜袋の第４の態様に従うと、スペーサー布は、あらかじめ規定される距離でモノフィラメント糸を用いて離して置かれ且つ結び付けられたスペーサー布の第１及び第２部分を含んでなり、スペーサー布の第１及び第２部分はそれぞれ第１の構造を有する１つもしくはそれより多い第１領域及び第２の構造を有する１つもしくはそれより多い第２領域を含んでなり、そしてスペーサー布の第１及び第２部分のそれぞれにおいて、第２領域は第１領域の間に網目の形態で延びている。
【０１０５】
本発明に従う不均一なスペーサー布を含んでなる膜袋の第５の態様に従うと、スペーサー布は、あらかじめ規定される距離でモノフィラメント糸を用いて離して置かれ且つ結び
付けられたスペーサー布の第１及び第２部分を含んでなり、スペーサー布の第１及び第２部分はそれぞれ第１の構造を有する１つもしくはそれより多い第１領域及び第２の構造を有する１つもしくはそれより多い第２領域を含んでなり、そしてスペーサー布の第１及び第２部分のそれぞれにおいて、第１の中心領域［４２］中における第１部分［１１］及び第２部分［１２］の布は、第２の境界領域［４１］中におけるより小さい網目を含んでなる。第１領域［４２］は封入された嵩［２３］の上に延び、そこでスペーサー布は膜物質により満たされていない。第２領域４１において、スペーサー布は膜物質で完全に満たされている。
【０１０６】
本発明に従う不均一なスペーサー布を含んでなる膜袋の第６の態様に従うと、スペーサー布は、あらかじめ規定される距離でモノフィラメント糸を用いて離して置かれ且つ結び付けられたスペーサー布の第１及び第２部分を含んでなり、スペーサー布の第１及び第２の部分はそれぞれ第１の構造を有する１つもしくはそれより多い第１領域及び第２の構造を有する１つもしくはそれより多い第２領域を含んでなり、第２構造は第１構造より大きな網目を有し、ここでスペーサー布の第１及び第２部分は少なくとも部分的に膜物質で埋め込まれ、且つここでスペーサー布の第１及び第２部分の第２領域ならびにそれらの間の空間は完全に膜物質で満たされてシームレスな境界を形成し、スペーサー布の第１及び第２部分の第１領域間の空間は実質的に膜物質を含まない。
【０１０７】
本発明に従う不均一なスペーサー布を含んでなる膜袋の第７の態様に従うと、スペーサー布は、あらかじめ規定される距離でモノフィラメント糸を用いて離して置かれ且つ結び付けられたスペーサー布の第１及び第２部分を含んでなり、スペーサー布の第１及び第２の部分はそれぞれ第１の構造を有する１つもしくはそれより多い第１領域及び第２の構造を有する１つもしくはそれより多い第２領域を含んでなり、第１構造は第２構造より大きな網目を有し、ここでスペーサー布の第１及び第２部分は少なくとも部分的に膜物質で埋め込まれ、且つここでスペーサー布の第１及び第２部分の第１領域ならびにそれらの間の空間は完全に膜物質で満たされてシームレスな境界を形成し、スペーサー布の第１及び第２部分の第２領域間の空間は実質的に膜物質を含まない。
【０１０８】
スペーサー布
スペーサー布は１つの布（編布、織布又は不織布型の布）から成り、その２つの部分はスペーサーモノフィラメント糸［１５，１０３］を用いて多数の点で、例えば１つの方向でインチ（２５．４ｍｍ）当たり最高で３０個の点及び実質的に垂直な方向でインチ（２５．４ｍｍ）当たり最高で６０個の点で布の第１及び第２部分に結び付けられている。
【０１０９】
スペーサーモノフィラメント糸［１５，１０３］はスペーサー布の第１［１１，１０１］及び第２［１２，１０１’］部分とからまり、それらの部分を離して保ち且つ特定の距離でそれらを一緒に保持する。スペーサーモノフィラメント糸［１５，１０３］は、好ましくはスペーサー布の第１［１１，１０１］及び第２［１２，１０１’］部分を介してループを形成する。スペーサー布の第１［１０１］及び第２［１０１’］部分の間の距離［１０２］は、それらの間のスペーサーモノフィラメント糸［１０３］の長さにより決定される。２つの部分［１１，１０１］及び［１２，１０１’］の間の間隔（ｓｐａｃｉｎｇ
ｄｉｓｔａｎｃｅ）は、好ましくは０．５ｍｍ〜１５ｍｍ、より好ましくは０．５〜１０ｍｍの範囲内である。
【０１１０】
スペーサー布の厚さ、すなわち第１部分の最外表面から第２部分の最外表面までの距離は、典型的には１〜１５ｍｍの範囲内である。
【０１１１】
モノフィラメント糸は、好ましくは５０〜５００μｍの範囲内の直径を有し、６０〜１５０μｍの範囲内の直径が特に好ましく、８０〜１００μｍの範囲内の直径が特別に好ま
しい。モノフィラメント糸は、好ましくは滑らかな表面を有する。
【０１１２】
スペーサー布の第１及び第２部分は、好ましくは２０〜８０％の範囲内の開放領域、すなわち布により占有されない領域を有し、４０〜６０％の範囲内の開放領域が特に好ましい。
【０１１３】
スペーサー布の第１及び第２部分は、好ましくは１００μｍ〜８００μｍの範囲内の厚さを有し、１５０〜５００μｍの厚さ範囲が特に好ましい。
【０１１４】
スペーサー布の第１及び第２部分は、好ましくは３０００μｍの最大網目寸法を以って少なくとも２００μｍの網目寸法を有する。
【０１１５】
スペーサー布中で用いられるマルチフィラメント糸は、好ましくは５０〜５００μｍの範囲内の直径を有し、６０〜１５０μｍの範囲内の直径が特に好ましく、８０〜１００μｍの範囲内の直径が特別に好ましい。スペーサー布中で用いられるマルチフィラメント糸は、やはり好ましくは、スペーサー布の第１及び第２部分中に含浸される膜物質に侵入し得るばら糸のない表面仕上げを有する、すなわち滑らかな表面を有するフラットヤーン（ｆｌａｔ  ｙａｒｎ）型のものである。
【０１１６】
機械方向又は機械方向に垂直な方向で引っ張られる時に破断のないスペーサー布の最大伸び率は、好ましくは１〜１０％であり、１〜３％の範囲内の最大伸び率が特に好ましい。製造プロセスの後にスペーサー布を予備収縮させるか及び／又は熱硬化（固定）させることにより、そのような低い弾性を得ることができる。処理時間及び温度は、スペーサー布の構成及び用いられる糸の直径に依存する（ループ及びモノフィラメント糸ならびにスペーサー布のマルチフィラメント糸の熱−固定）。
【０１１７】
スペーサー布の第１及び第２部分の表面の間に１バール又は１ｋｇ／ｃｍ２の力を適用する時のスペーサー布の最大圧縮は、好ましくは１０％である。それぞれ直径が６０μｍの二重の薄いモノフィラメントを用いることにより、又は直径が１００〜１５０μｍのより厚いモノフィラメント糸を用いることにより、これを実現することができる。
【０１１８】
そのようなスペーサー布を、Ｍｕｌｔｉｂａｒ  Ｒａｓｃｈｅｌ丸編機（Ｋａｒｌ  Ｍａｙｅｒ  Ｔｅｘｔｉｌｍａｓｃｈｉｎｅｎｆａｂｒｉｋ，Ｇｅｒｍａｎｙ）のような機械の上で製造することができる。この機械は、最高で４ｍの幅及び最高で１００ｍの長さでスペーサー布を編むことができる。スペーサー布を円形に編み、次いで切断して平面状スペーサー布を得、最後にスプール上に巻き取る。スペーサー布を平編機（ｆｌａｔ  ｋｎｉｔｔｉｎｇ  ｍａｃｈｉｎｅ）上で編むこともできる。
【０１１９】
スペーサー布の第１及び第２部分の布は、好ましくはマルチフィラメント糸で作られる。スペーサー布の第１及び第２部分で用いられる糸は、スペーサーモノフィラメント糸の型と同じ型のものであることができる。
【０１２０】
布糸及び／又はスペーサー糸に適した材料には、ポリエステル、例えばポリエチレンテレフタレート（ＰＥＴ）、ポリアミド／ナイロン（ＰＡ）、ポリプロピレン（ＰＰ）、ポリエチレン（ＰＥ）、ポリ（フェニレンスルフィド）（ＰＰＳ）、ポリエーテルケトン（ＰＥＫ）、ポリエーテルエーテルケトン（ＰＥＥＫ）、エチレンテトラフルオロエチレン（ＥＴＦＥ）、モノクロロトリフルオロエチレン（ＣＴＦＥ）、すべての金属（Ｆｅ、Ｃｕ、ステンレススチールなど）が含まれる。布糸及び／又はスペーサー糸に特に好ましい材料はポリエステルである。
【０１２１】
スペーサー布はＳＣＯＴＫＮＩＴ  ３Ｄの商品名の下にＳＣＯＴＴ  ＆  ＦＹＦＥから、ＣＵＬＺＥＡＮ  ＴＥＸＴＩＬＥ  ＳＯＬＵＴＩＯＮＳ、ＳＯＵＴＨＥＲＮ  ＷＥＡＶＩＮＧ  ＣＯＭＰＡＮＹ及びＭＵＥＬＬＥＲ  ＴＥＸＴＩＬ  ＧＭＢＨから入手可能である。
【０１２２】
約１０００μｍより小さい網目寸法を有するスペーサー布は閉面構造（ｃｌｏｓｅｄ−ｆａｃｅ  ｓｔｒｕｃｔｕｒｅ）布として既知であり、それよりずっと大きい網目寸法を有するスペーサー布は開面構造（ｏｐｅｎ−ｆａｃｅ  ｓｔｒｕｃｔｕｒｅ）布として既知である。均一な構造を有する、すなわちスペーサー布の第１及び第２部分の両方が均一な網目寸法を有するスペーサー編織布は３つの変形：両方とも閉面構造を有する第１及び第２部分；開面構造を有する第１及び第２部分；ならびに閉面構造を有する第１部分と開面構造を有する第２部分あるいはその逆において製造される。
【０１２３】
スペーサー編織布［１０］を、スペーサー布の第１［１１］及び第２［１２］部分がそれぞれ第１構造を有する１つもしくはそれより多い第１領域及び第２構造を有する１つもしくはそれより多い第２領域を含んでなり、第２構造が第１構造より大きな網目寸法を有する不均一構造で製造することもできる。第１領域［１３］のそれぞれは第２領域［１４］により周り全体が境界付けられ、その場合２つの部分［１１］及び［１２］の布は、第１構造の網目より大きな網目（又は孔、開口部）を含んでなる第２構造を有し、「島構造」を生ずる。第２領域は布全体に連続的な網目を形成することができる。結果として２つの部分［１１］及び［１２］は隔離された第１領域［１３］を含んでなり、それは第２領域［１４］により囲まれる（輪郭付けられる）。そのような布は「アイランドクロススペース布（ｉｓｌａｎｄ  ｃｌｏｔｈ  ｓｐａｃｅ  ｆａｂｒｉｃ）」として既知であり、第１及び第２部分がそれぞれ互いに対応する開及び閉面構造の繰り返し領域を有する。布はいずれの種類のものであることもでき、すなわち織布又は不織布であることができ、好ましくは編布、編組布又はかぎ針編布である。さらに、スペーサー糸［１５］は、両方の部分［１１］及び［１２］中の第１領域［１３］が互いに向き合うように、すなわちそれらが布の両面［１１］及び［１２］において対応する位置で配置されるように、２つの部分［１１］及び［１２］をあらかじめ規定される距離で一緒に保つ。２つの部分の布のそれぞれが第２領域中でそれぞれの第１領域中より大きな網目寸法を有する限り、第１部分の布及び第２部分の布は同じである必要はない。
【０１２４】
不均一スペーサー布の場合のスペーサー布は、第１の網目寸法を有する第１領域及び第２の網目寸法を有する第２領域の繰り返しパターンで形成されることができる。第１領域の網目寸法は、好ましくは５００〜７５０μｍの範囲内であり、第２領域の網目寸法は、好ましくは１０００μｍ〜１０，０００μｍの範囲内であり、１０００〜２０００μｍの範囲が特に好ましい。第１領域、いわゆる「閉面島」は、２００ｍｍ〜４０００ｍｍの辺長を有する長方形であることができる。長方形の第１領域を第２領域の帯で分割することができ、隣接する第１領域の間の間隔（すなわち第２領域の幅）は１０ｍｍ〜１００ｍｍであり、それはさらに０．１〜１ｃｍの直径を有する孔を含有することができる。第１領域は長方形以外の形、例えば円形、多角形などを有することができる。
【０１２５】
濾過装置
本発明の側面は、少なくとも１つの本発明に従う膜袋を含んでなる濾過装置によっても実現される。
【０１２６】
本発明に従う濾過装置の第１の態様に従うと、１つもしくはそれより多い膜袋が、好ましくは実質的に平らであり、互いに平行な枠内に吊り下げられるか又は乗せられる。
【０１２７】
均一スペーサー布に基づく少なくとも１つのシームレス膜袋の製造方法
本発明の側面はさらに、少なくとも１つのシームレス膜袋の製造方法により実現され、その方法は：（ｉ）均一構造を有し、あらかじめ規定される距離でモノフィラメント糸［１０３］により離れて置かれ且つ結び付けられた布の第１［１０１］及び第２部分［１０１’］を含んでなるスペーサー布を準備し；（ｉｉ）少なくとも１つの含浸装置［１０６］に近接して布を輸送し；（ｉｉｉ）スペーサー布の第１［１０１］及び第２部分［１０１’］ならびにスペーサー布の第１［１０１］及び第２部分［１０１’］へのモノフィラメント糸の結び点に、少なくとも１つの含浸装置［１０６］を用いて膜ドープ［１０７］を含浸させ、あらかじめ区画される連続領域において、布の第１及び第２部分のみでなく、それらの間の空間も含浸させられるようにし、それにより少なくとも１つのシームレス膜袋前駆体を製造し；（ｉｖ）少なくとも１つの膜袋前駆体から少なくとも１つの膜袋を形成し、少なくとも１つの膜袋のそれぞれはシームレス膜物質で完全に封入された嵩［１０２］を含んでなり；そして（ｖ）場合により嵩から透過物を抽出するための管［１０５］を挿入する段階を含んでなる。さらに、膜の最外表面におけるより大きな開口部を、膜及びシームレス膜物質で完全に封入された嵩（一体化透過路）の間の界面に有する非対称孔を、転相プロセスの間に形成する。
【０１２８】
連続領域の含浸は、布の第１及び第２部分のみ、すなわち連続領域が囲む布の領域の含浸に用いられるものと異なる組成を有する膜ドープを用いて実現され得る。さらに、少なくとも１つの異なる含浸ヘッドを用いて連続領域の含浸を行なうことができ、輸送方向に平行な連続領域の部分に、輸送方向に実質的に垂直な連続領域の部分のために用いられるものと異なる膜ドープを含浸させることができる。しかしながら、膜ドープを用いる含浸は、膜ドープを含浸させられた布が少なくとも１つのシームレス膜袋に転換される前に完了しなければならない。
【０１２９】
本発明に従う方法の第１の態様に従うと、モノフィラメントスペーサー糸は、スペーサー布の第１及び第２部分を介してループを形成し、それは好ましくは膜ドープで埋め込まれる。スペーサー布の第１及び第２部分中のループの、膜ドープを用いる埋め込みは、含浸プロセスの間に行なわれる。
【０１３０】
本発明に従う方法の第２の態様に従うと、膜ドープは１つより多い湿潤層において布に与えられる。
【０１３１】
本発明に従う方法の第３の態様に従うと、膜ドープは異なる組成を有する１つより多い湿潤層において布に与えられ、それにより異なる組成を有する最外部分を持つ膜を与える。
【０１３２】
図６は、膜に平行な一体化透過路を貫く断面としての、個々の単位（ｕｎｉｔｓ）に分離される前のシームレス膜袋の列の一部の略図を示し、ここで灰色の領域は膜物質を示し、矢印はスペーサー布の輸送方向を示す。
【０１３３】
図７は、４つのシームレス膜袋を側面において示す、シームレス膜袋の端の間の中間の図６の断面に垂直な断面としての、個々の単位に分離される前のシームレス膜袋の列の一部の略図を示し、ここで矢印はスペーサー布の輸送方向を示す。
【０１３４】
膜は、スペーサー布の第１及び第２部分に、場合により同時に、膜ドープを含浸させ、スペーサー布の第１及び第２部分中の網目が実質的に満たされ、且つスペーサー布の第１及び第２部分の間の空間もあらかじめ区画された連続領域において満たされるようにすることにより、その場で形成される。膜は続いて、転相プロセスにおいて膜ドープ中の溶媒が膜ポリマーの非溶剤によりドープから抽出され、続いて非溶剤中で膜ポリマーを凝析させるプロセスにより形成される。膜ドープ中の単数種もしくは複数種の溶媒の抽出は、蒸
気［蒸気−誘導相分離（ＶＩＰＳ）］及び／又は液体［液体−誘導相分離（ＬＩＰＳ）］との接触を用いて実現され得る。転相プロセスの間の蒸気又は液体の使用は、得ることができる孔径を決定し、ＶＩＰＳを用いて≦１０μｍの孔径が得られ、ＬＩＰＳを用いて≦５０ｎｍの孔径が得られる。ＶＩＰＳは独立して、膜ドープの薄い含浸層のみのために十分である。
【０１３５】
適した非溶剤には水蒸気相（好ましくは０．０２〜５バールの蒸気圧における、特に好ましくは０．０５〜０．２バールの蒸気圧における水蒸気又は冷蒸気）、水又は水と非プロトン性溶媒、例えばＮ−メチルピロリドン（ＮＭＰ）、ジメチルホルムアミド（ＤＭＦ）、ジメチルスルホキシド（ＤＭＳＯ）及びジメチルアセトアミド（ＤＭＡＣ）ならびにイソプロパノールのようなアルコールとの混合物が含まれる。
【０１３６】
凝析媒体は通常、膜袋前駆体の外面上で膜ドープに接触し、一体化透過路中に浸透しない。次いで膜形成が外側から始まるので、外側に最小の孔を有する非対称孔径を持つ膜が得られる。
【０１３７】
あるいはまた、溶媒の蒸発により膜形成を行なう（乾式転相）。膜ドープは２種の溶媒を含んでなることができ、その場合、より低い沸点を有する溶媒が最初に蒸発して膜物質が形成される。より高い沸点を有する溶媒は膜物質の孔内に捕獲され、後に蒸発する。
【０１３８】
本発明に従う方法の第４の態様に従うと、含浸プロセスが完了した後且つ膜袋の形成の前に、含浸させられた布の第１及び第２部分の間の空間を気体又は液体で満たし、膜袋の形成の間に作られる孔の形及び寸法に影響を与える。
【０１３９】
本発明に従う方法の第５の態様に従うと、少なくとも１つの膜袋の形成は、少なくとも部分的に蒸気−誘導相分離を含む。
【０１４０】
本発明に従う方法の第６の態様に従うと、膜ドープは膜に転換され；少なくとも１つの膜袋は少なくとも２つの膜袋を含んでなる。１つのあらかじめ区画される領域を封入する連続領域の一部は、隣接するあらかじめ区画される領域を囲む連続領域の一部を形成することができるか、あるいは隣接連続領域の間に膜ドープの含浸のないギャップがあることができる。
【０１４１】
本発明に従う方法の第７の態様に従うと、膜ドープは膜に転換され；少なくとも１つの膜袋は少なくとも２つの膜袋を含んでなり、それらは続いて互いから分離されて少なくとも２つのシームレス膜袋となる。
【０１４２】
本発明に従う方法の第８の態様に従うと、少なくとも２つの膜袋前駆体は互いから分離され；それぞれの膜袋前駆体はシームレス膜袋に転換される。そのような分離は、２つの隣接する膜袋の間の連続領域の一部又は隣接する連続領域の間の膜ドープの含浸のないギャップを介する切断を含むことができる。
【０１４３】
本発明に従う方法の第９の態様に従うと、含浸は押出コーティング法を用いて行なわれる。
【０１４４】
本発明に従う方法の第１０の態様に従うと、含浸はスロットコーティング法を用いて行なわれる。
【０１４５】
スペーサー布の第１及び第２部分の連続的含浸は、好ましくは含浸スロットを経てスペーサー布を輸送することにより実現され、スロットはスペーサー布の第１及び第２部分の
表面にほとんど触るかもしくはわずかに押し入りさえして、スペーサー布の第１及び第２部分の間の空間も膜ドープで満たされるあらかじめ区画される連続領域中を除いて、スペーサー布の第１及び第２部分の間の空間を、実質的に膜ドープを含まないままにしながら、膜ドープを用いる実質的に完全な含浸が実現されるようにする。必要な量の膜ドープは、ポンプを用いて供給系を介して供給される流量又は量を調節することにより、スロットを介して供給される。
【０１４６】
図９は、スペーサー布の第１及び第２部分の間の空間も膜ドープで満たされるあらかじめ区画される連続領域の外側の含浸のためのより詳細な膜ドープ含浸系を略図的に示す。「ｖ」はスペーサー布の輸送速度であり、［１０１］及び［１０１’］はスペーサー布の第１及び第２部分であり、そして［１０２］はモノフィラメントスペーサー糸［１０３］を用いて保持されるスペーサー布の第１及び第２部分の間の空間である。［１０６］及び［１０６’］は含浸ヘッドであり、［１０７］は膜ドープであり、ｋは膜ドープの流れの方向におけるスロットの長さであり、ｈはスロット開口部の高さであり、ｄＦはスペーサー布の第１及び第２部分の厚さであり、そしてＤＦはスペーサー布の厚さの半分であり、すなわちスペーサー布の第１及び第２部分の間の距離は２（ＤＦ−ｄＦ）である。
【０１４７】
膜ドープの必要量すべてが損失なしで堆積する場合、供給系（ｆｅｅｄ）により供給されるｍ３／秒における量、Ｑは、布により完全に吸収され、式（１）：
Ｑ＝ｖ  ｘ  ｄＦ  ｘ  ｗ    ．．．．．．．．．．．．．．．．．．（１）により与えられ、ここでｄＦはｍにおける湿潤層厚さであり；ｗはｍにおける含浸（流延）幅であり；そしてｖはｍ／秒における輸送速度である。言い換えると、それは体積／ｍ２のみに依存する。
【０１４８】
輸送方向に実質的に垂直な連続領域の部分における膜継ぎ目を実現するために、式（２）：
Ｑｓ＝ｖ  ｘ  ＤＦ  ｘ  ｗ    ．．．．．．．．．．．．．．．．．（２）により与えられる最少量の膜ドープ、Ｑｓを含浸ヘッド［１０６］及び［１０６’］のそれぞれにおいて与えなければならない。必要な膜ドープを用いる一体化透過路の充填を与えるのに必要な時間、流量を増加させるか又は輸送速度を低下させることにより、この膜ドープ流の増加を実現することができる。
【０１４９】
輸送方向における連続領域の部分における膜継ぎ目を実現するために、スペーサー布の第１部分及び各膜継ぎ目幅に関してスペーサー布の第１部分と第２部分の間の距離の半分を満たすのに必要な膜ドープ量における増加を与えるように含浸ヘッド［１０６］を適応させねばならず、且つスペーサー布の第１部分及びシームレス膜袋の列のための各膜継ぎ目幅のために必要な膜継ぎ目幅に関してスペーサー布の第１部分と第２部分の間の距離の半分を満たすのに必要な膜ドープ量における増加を与えるように含浸ヘッド［１０６’］を適応させねばならない。より広い含浸ヘッドの両端に限られた幅を有する別の含浸ヘッドを与えることにより、これを達成することができる。あるいはまた、例えば図８に示すようにスロット開口部の幅を増加させることにより、膜継ぎ目の限られた幅のために必要な膜ドープ量の増加を与えるように、必要な間隔でヘッドを適応させた含浸ヘッドを与えることができ、図８において［１０１］及び［１０１’］はスペーサー布の第１及び第２部分であり、［１０２］はモノフィラメントスペーサー糸［１０３］を用いて保持されるスペーサー布の第１及び第２部分の間の空間であり、［１０７］は膜ドープであり、そして［１０６］及び［１０６’］は含浸ヘッドである。スロットのリップとスペーサー布の間の距離は、好ましくは＋０．５〜−０．５ｍｍの範囲内である。スロットのリップの長さ、Ｌ１及びＬ２は、好ましくは０．２５〜２５ｍｍの範囲内である。スロット開口部の高さは、好ましくは０．２〜２ｍｍの範囲内である。スロットの高さは、好ましくは１０〜１００ｍｍの範囲内である。
【０１５０】
本発明に従う方法の第１１の態様に従うと、布の輸送方向に平行な膜袋前駆体の端は、膜ドープの量を局部的に増加するように適応させられた含浸ヘッドを用いて作られる。
【０１５１】
本発明に従う方法の第１２の態様に従うと、布の輸送方向に平行な膜袋前駆体の端は、膜ドープの量を増加させる別のスロットを用いて作られる。
【０１５２】
本発明に従う方法の第１３の態様に従うと、布の輸送方向に実質的に垂直な膜袋前駆体の端は、膜ドープの流れを局部的に増加させることにより作られる。
【０１５３】
本発明に従う方法の第１４の態様に従うと、布の輸送方向に実質的に垂直な膜袋前駆体の端は、輸送速度を局部的に低下させることにより作られる。
【０１５４】
本発明に従う方法の第１５の態様に従うと、実質的に平行な膜の対応する端の間の膜−接合部の外側で、一体化透過路が膜ドープを実質的に含まないように、布の第１及び第２部分に膜ドープが与えられる。
【０１５５】
本発明に従う方法の第１６の態様に従うと、布の第１及び第２部分の少なくとも５０％が膜ドープを含浸させられるようにそれらに膜ドープが与えられ、少なくとも８０％が膜ドープを含浸させられるのが好ましい。
【０１５６】
本発明に従う方法の第１７の態様に従うと、膜ドープを用いる布の第１及び第２部分の含浸は、同時に行なわれる。
【０１５７】
本発明に従う方法の第１８の態様に従うと、布の第１及び第２部分のみでなく、それらの間の空間も含浸させられるあらかじめ区画される連続領域の含浸は、同じ含浸系を用いて行なわれる。
【０１５８】
本発明に従う方法の第１９の態様に従うと、方法は、手動の介在を必要としない方法であり、すなわち完全に自動化された連続法である。
【０１５９】
本発明に従う方法の第２０の態様に従うと、輸送速度／方法のプロセス速度（ｐｒｏｃｅｓｓ  ｓｐｅｅｄ  ｏｆ  ｔｈｅ  ｐｒｏｃｅｓｓ）は少なくとも０．５ｍ／分であり、０．５〜５ｍ／分の範囲内の輸送速度が好ましい。
【０１６０】
不均一スペーサー布に基づく少なくとも１つのシームレス膜袋の製造方式（ｍｅｔｈｏｄ）
本発明の側面は膜袋の製造方法により実現され、その方法は：布の第１（１１］及び第２（１２］部分を含んでなるスペーサー布（１０］を準備し、ここで第１及び第２部分はあらかじめ規定される距離でモノフィラメント糸（１５］により離れて置かれ且つ結び付けられ且つここでスペーサー布は第１部分の布及び第２部分の布が第１構造を有する１つもしくはそれより多い第１領域（１３］ならびに第１部分の布及び第２部分の布が、第１構造より大きい網目を持つ第２構造を有する１つもしくはそれより多い第２領域（１４］を含んでなり、且つここで１つもしくはそれより多い第１領域のそれぞれは１つもしくはそれより多い第２領域により回り全体の範囲を定められ；第１［１１］及び第２［１２］部分に膜ドープ［３３］を含浸させ、ここで１つのもしくはそれより多い第１領域において、ドープは少なくとも部分的に第１部分及び第２部分を埋め込んで第１部分［１１］及び第２［１２］部分の間に膜ドープを含まない空間［２３］を残し、且つここで１つもしくはそれより多い第２領域において、ドープはスペーサー布を満たし；そして膜を形成する段階［３５，３６］を含んでなる。
【０１６１】
膜ドープを用いるスペーサー布［１０］の第１［１１］及び第２［１２］部分の含浸の段階に、スペーサー布の両部分［１１］及び［１２］は外側からコーティングされる。第１の態様に従うと、コーティング段階は図１２に例示されるような二面垂直コーティング機（ｔｗｏ−ｓｉｄｅｄ  ｖｅｒｔｉｃａｌ  ｃｏａｔｉｎｇ  ｍａｃｈｉｎｅ）で行なわれる。図１２のコーティング機は、スペーサー布［１０］の両面の同時コーティングを可能にする。従って、スペーサー布［１０］はスプール［３１］から巻き出され、膜ドープ［３３］で満たされた二面コーティング装置［３２］に供給される。
【０１６２】
スペーサー布の両部分［１１］及び［１２］のコーティングは、第１領域［１３］において、膜ドープが布の外側に与えられ、少なくとも部分的にスペーサー布の第１［１１］及び第２［１２］部分を埋め込むようなものでなければならない。膜ドープの浸透の程度は、スペーサー布の第１及び第２部分の第１及び第２領域の網目寸法、スペーサー布に膜ドープが適用される速度、例えばダブルドクターブレード系又はダブルローラーバー系により膜ドープがスペーサー布に適用されるせん断応力、適用されているドープとスペーサー布が接触している時間ならびに膜ドープの粘度に依存する。従ってスペーサー布の閉面構造領域において、膜ドープの浸透の程度は開面構造領域中よりずっと遅いであろう。従って、第１領域［１３］において、スペーサー布の第１［１１］及び第２［１２］部分の閉面構造網目は膜ドープにより満たされるか又は塞がれ、スペーサー布の第１［１１］及び第２［１２］部分の間の空間中への膜ドープの浸透は部分的のみであり得る。膜ドープは空間を閉塞（ｃｌｏｓｅ  ｏｆｆ）させてはならない。従って第１領域１３において、膜ドープはスペーサー布の第１［１１］及び第２［１２］部分の布に含浸される。第１領域において、膜ドープは、スペーサー布の第１［１１］及び第２［１２］部分の布の多数の部分を埋め込む。それにより膜ドープは、スペーサー布の第１［１１］及び第２［１２］部分の布を介して走るスペーサー糸の一部も埋め込む。（例えばスペーサー糸１５のループ］。スペーサー布の第１［１１］及び第２［１２］部分の布を少なくとも部分的に埋め込むことにより、スペーサー布の第１［１１］及び第２［１２］部分の第１領域における布への膜ドープの強い結合を得ることができる。
【０１６３】
第２領域１４において布は、第１領域におけるより大きな網目（又は開口部、孔）を含んでなり、それは膜ドープがスペーサー布中に入り、第２領域においてスペーサー布を完全に充填することを可能にする。第２領域におけるスペーサー布の充填は、好ましくは両面から行なわれる（すなわちスペーサー布の第１［１１］及び第２［１２］部分の両方の最外面から）。第２領域における布の網目寸法に基づき、膜ドープの粘度は所望の接触時間で完全な充填を達成するように適応させられねばならない。
【０１６４】
含浸段階の結果として含浸スペーサー布［３４］が得られ、そこではスペーサー布の第１［１１］及び第２［１２］部分の両方が膜ドープを含浸させられて、それぞれ層［２１］及び［２２］を形成し、且つ第２領域において、膜ドープは完全にスペーサー布を埋め込む。従って図１１に例示される通り、第１領域がコーティングされた層［２１］及び［２２］の間に挟まれるエアポケット［２３］を含んでなるコーティングされたスペーサー布が得られる。エアポケット［２３］は、第１領域の境界に沿って第２領域を満たす膜ドープにより、外部周囲から完全に隔離される。
【０１６５】
続く段階は膜形成を含んでなる。膜物質は膜ドープから形成される。コーティングされたスペーサー布を凝析媒体の蒸気［３５］と、及び／又は通常は液体状態で与えられる凝析媒体［３６］自身と接触させることにより、膜ドープを凝析させることができる（湿式転相）。蒸気相接触は表面孔形成を与えるが、液相接触はバルク孔（ｂｕｌｋ  ｐｏｒｅ）形成を与える。凝析媒体はスペーサー布の外面において膜ドープと接触するが、エアポケット［２３］内に浸透しない。従って第１領域において、非対称な孔径分布を有し、外側に最小の孔を有する膜が得られる。膜形成は外側から始まる。膜形成は内側から開始されない。別の態様に従うと、膜形成は溶媒の蒸発により行なわれる（乾式転相）。膜ドープは２種類の溶媒を含んでなることができる。その場合、より低い沸点を有する溶媒が最初に蒸発して膜物質が形成される。より高い沸点を有する溶媒は膜物質の孔内に捕獲され、後に蒸発する。
【０１６６】
本発明に従う方式の第１の態様に従うと、布を準備する段階は、第１領域及び第２領域の間のスペーサー布中に管を挿入することを含んでなる。
【０１６７】
本発明に従う方式の第２の態様に従うと、第２領域は１〜１０ｍｍの範囲内の寸法を有する網目を含んでなる。
【０１６８】
本発明に従う方式の第３の態様に従うと、方式はさらに、例えばナイフにより、第２領域中で且つそれに沿ってスペーサー布を切断する段階［３７］を含んでなる。結果として単独の（ｓｉｎｇｌｅ）第１領域又は第１領域のグループが得られ、それらを集めて膜袋を形成する。
【０１６９】
本発明に従う方式の第４の態様に従うと、方式はさらに、スペーサー布の製造の間に、スペーサー布中に封入された嵩［２３］から透過物を抽出するための管の挿入を含む。含浸段階は、一体化された透過物収集管を有する膜袋を得ることを可能にする。
【０１７０】
膜ドープ
本発明に従う方法の第２１の態様及び本発明に従う方式の第５の態様に従うと、膜ドープは膜ポリマーを含んでなる液体ポリマー溶液である。
【０１７１】
本発明に従う方法の第２２の態様及び本発明に従う方式の第６の態様に従うと、膜ドープは１０ｓ−１のせん断において１０００〜１００，０００の粘度を有し、１０，０００〜５０，０００ｓ−１の範囲内の粘度が好ましい。
【０１７２】
本発明に従う方法の第２３の態様及び本発明に従う方式の第７の態様に従うと、膜ドープは少なくとも１種の膜ポリマー及びそれのための少なくとも１種の有機溶媒を含んでなる。
【０１７３】
本発明に従う方法の第２４の態様及び本発明に従う方式の第８の態様に従うと、膜ドープは膜ポリマー、それのための有機溶媒及び親水性充填剤材料を含んでなる。
【０１７４】
本発明に従う方法の第２５の態様及び本発明に従う方式の第９の態様に従うと、膜ドープは膜ポリマー、親水性充填剤材料及び非プロトン性溶媒を含んでなる。
【０１７５】
本発明に従う方法の第２６の態様及び本発明に従う方式の第１０の態様に従うと、膜ドープは膜ポリマー、親水性充填剤材料、非プロトン性溶媒及びグリセロールのような安定化を含んでなる。
【０１７６】
グリセロールのような親水性化剤及び安定剤を、転相プロセスが完了した後だが乾燥の前に導入することもできる。
【０１７７】
親水性充填剤は、膜の親水性及びその汚れ挙動（ｆｏｕｌｉｎｇ  ｂｅｈａｖｉｏｕｒ）に影響を及ぼす。多くの場合、溶媒混合物における変動は、異なるフィルム形態及び従って膜性能を生ずる。
【０１７８】
本発明に従う方法の第２７の態様及び本発明に従う方式の第１１の態様に従うと、膜ドープは、ポリスルホン（ＰＳＵ）、ポリ（塩化ビニル）（ＰＶＣ）、ポリ（アクリロニトリル）（ＰＡＮ）、ポリエステル、ポリエーテルスルホン（ＰＥＳ）、ポリエーテルケトン（ＰＥＫ）、ポリエーテルエーテルケトン（ＰＥＥＫ）、ポリフッ化ビニリデン（ＰＶＤＦ）、ポリ酢酸ビニル（ＰＶＡｃ）、ポリビニルアルコール（ＰＶＡ）、ポリアミド（ＰＡ）、ポリビニルピロリドン（ＰＶＰ）、ＰＶＰＰ（架橋ＰＶＰ）、セルロース系誘導体［酢酸セルロース（ＣＡ）、三酢酸セルロース（ＣＴＡ）など］、ポリカーボネートブロックポリマー及びそれらの混合物／ブレンドより成る群から選ばれる膜ポリマーを含んでなる。
【０１７９】
本発明に従う方法の第２８の態様及び本発明に従う方式の第１２の態様に従うと、膜ドープは膜ポリマーとしてゴムを含んでなる。
【０１８０】
本発明に従う方法の第２９の態様及び本発明に従う方式の第１３の態様に従うと、膜ドープは膜ポリマーとしてゴムを含んでなり、ゴムはシリコーンゴム、ポリメチルペンテン、クロロプレン、ＳＢＲ、ＮＢＲ、ウレタン、Ｈｙｐａｌｏｎ（Ｒ）、ネオプレン、ニトリル、ブナ（Ｂｕｎａ）、ウレタン、エピクロロヒドリン、Ｖｉｔｏｎ（Ｒ）、ＥＰＤＭ、ブチル（Ｂｕｔｙｌ）、天然ゴム（ラテックス）、アクリルゴム、フルオロエラストマー及びペルフルオロエラストマーより成る群から選ばれる。
【０１８１】
さらに別の適した膜ポリマーには塩素化ポリ（塩化ビニル）（ＣＰＶＣ）、アクリロニトリルと例えば塩化ビニル又はエチルアクリレートとのコポリマー、ポリ（エチレンスクシネート（ＰＥＳＵ）、ポリウレタン（ＰＵ）、ポリイミド（ＰＩ）、ポリエーテルイミド（ＰＥＩ）及びセルロース系誘導体、例えばヒドロキシプロピルセルロース（ＨＰＣ）、カルボキシメチルセルロース（ＣＭＣ）ならびにセルローストリカルバニレート（ＣＴＣ）、それらの混合物／ブレンドならびにそれらのグラフト化誘導体（スルホン化、アクリル化、アミノ化など）が含まれる。
【０１８２】
適した親水性充填剤材料にはポリマー、無機材料及びそれらの組み合わせが含まれる。適した親水性ポリマーにはポリ（ビニルピロリドン）（ＰＶＰ）、架橋ポリビニルピロリドン（ＰＶＰＰ）、ポリ（ビニルアルコール）、ポリ（酢酸ビニル）、メチルセルロース及びポリエチレンオキシドが含まれる。
【０１８３】
適した親水性無機材料にはＴｉＯ２、ＨｆＯ２、Ａｌ２Ｏ３、ＺｒＯ２、Ｚｒ３（ＰＯ４）４、Ｙ２Ｏ３、ＳｉＯ２、ペロブスカイト酸化物材料及びＳｉＣが含まれる。
【０１８４】
適した非プロトン性溶媒にはＮ−メチル−ピロリドン（ＮＭＰ）、Ｎ−エチル−ピロリドン（ＮＥＰ）、Ｎ，Ｎ−ジメチルホルムアミド（ＤＭＦ）、ホルムアミド、ジメチルスルホキシド（ＤＭＳＯ）、Ｎ，Ｎ−ジメチルアセトアミド（ＤＭＡＣ）、テトラヒドロフラン（ＴＨＦ）、アセトン、トリエチルホスフェート及びそれらの混合物が含まれる。水中におけるポリスルホン−ＮＭＰ溶液の浸漬により形成されるフィルムは多孔質である。しかしながら、水中におけるポリスルホン−ＮＭＰ−ＴＨＦ溶液の浸漬では異なる膜構造を得ることができる。
【産業上の利用可能性】
【０１８５】
工業的用途
本発明に従うシームレス膜袋を枠なし膜カートリッジとして用いることができる。そうでなかったら、膜袋の境界に沿って、それに枠を備えることもできる。本発明に従うシームレス膜袋を精密濾過、限外濾過、ナノ濾過、逆浸透法、膜蒸留、浸透気化法、ガス分離、生物学的に活性な種（例えば酵素及びバイオフィルムリアクター）の固定のための濾過
要素として；膜接触器（ｍｅｍｂｒａｎｅ  ｃｏｎｔａｃｔｏｒｓ）、例えば担持液体膜（ｓｕｐｐｏｒｔｅｄ  ｌｉｑｕｉｄ  ｍｅｍｂｒａｎｅｓ）、パートラクション（ｐｅｒｔｒａｃｔｉｏｎ）、水脱ガス、エアレーション（ａｅｒａｔｉｏｎ）、加湿（蒸気浸透）、制御放出において；ならびに空調：ガス／空気清浄化などにおいて用いることができ、それは、それらが有効にバックウォッシングされ得（ｂａｃｋｗａｓｈｅｄ）、高圧に耐えることができ、それにより頻繁なクリーニングの必要なく長期間の運転を可能にするからである。それらを膜型バイオリアクター（透過物取出しのため）及び他の膜用途において用いることもできる。
【実施例】
【０１８６】
下記で本発明を比較実施例及び本発明の実施例により例示し、それらに本発明を制限することはない。これらの実施例中に与えられるパーセンテージ及び比率は、他にことわらなければ重量による。
【０１８７】
本発明の実施例中で用いられるスペーサー布は、モノフィラメント糸で第１及び第２部分に結ばれて保持され、３ｍｍのそれらの間の距離を有して実質的に互いに対して平行な１００μｍ厚さの編まれた第１及び第２部分を有するＭＵＥＬＬＥＲ  ＴＥＸＴＩＬ  ＧＭＢＨ，ＷＩＥＨＬ，ＧＥＲＭＡＮＹからの５７５４−０３２０型ポリエステル編織布であり、モノフィラメント糸はスペーサー布の第１及び第２部分中でループを形成する。
【０１８８】
成分：
Ａ−１００Ｐ  ＮＴ＝Ａ−１００Ｐ  ＮＴ、ＳＯＬＶＡＹからのポリエーテルスルホン（ＰＥＳ）。
Ｋ−９０          ＝Ｌｕｖｉｓｃｏｌ（Ｒ）  Ｋ−９０、ＢＡＳＦからのポリ（ビニルピロリドン）（ＰＶＰ）。
１０１５／１００１＝１０１５／１００１型、ＳＯＬＶＡＹからのポリフッ化ビニリデン（ＰＶＤＦ）。
ＡＣＥ  Ｈ８２７  ＝ＫＡＮＥ  ＡＣＥ  Ｈ８２７、ＫＡＮＥＧＡＦＵＣＨＩ  Ｋ．Ｋ．からの塩素化ポリ塩化ビニル（ＣＰＶＣ）。
ＭｅＣｅｌｌ      ＝ＡＣＲＯＳ  ＯＲＧＡＮＩＣＳからのメチルセルロース。
【０１８９】
本発明の実施例１
膜ドープの組成：
【０１９０】
【表１】
2010527290.tif 000003
【０１９１】
図１０に略図的に示される装置を用い、含浸系［１１０］を介してスペーサー布の第１
及び第２部分に膜ドープを適用した。含浸速度、すなわちスペーサー布の輸送速度は１ｍ／分であり、各含浸ヘッドは、８０℃の温度において４００ｍＬ／ｍ．分の膜ドープを、スペーサー布の第１及び第２部分のそれぞれに与え、輸送方向に平行なシームレス膜袋の端のために、より大きなスロット開口部によって１２００ｍＬ／ｍ．分が与えられ、輸送方向に実質的に垂直なシームレス膜袋の端は、輸送速度を低下させることにより実現された。
【０１９２】
図９は、一体化透過路も膜ドープで満たされるあらかじめ区画される連続領域の外側の含浸のための含浸系をより詳細に示す。
【０１９３】
図１０に戻って言及すると、０．０７バールの水蒸気圧における冷蒸気区域［１１１］を用い、冷蒸気区域を横切る５秒の間に膜ドープにおける転相を実現し、続いて凝析させて布の第１及び第２部分において安定な膜を形成し、続いて６０℃における浸漬浴［１１２］中で洗浄及び濯ぎを行なって溶媒、それぞれＮ−エチル−ピロリドン、グリセロール、Ｎ，Ｎ−ジメチルアセトアミド及びＮ−メチル−ピロリドンを除去した。
【０１９４】
水蒸気中で転相を行なうこと及び水蒸気の温度は、膜中の孔径を決定し、それは０．３〜０．５μｍの範囲内であった。
【０１９５】
膜の透過性を向上させるために、６０℃においてハイドロクロラス  アシッド（ｈｙｄｒｏｃｈｌｏｒｏｕｓ  ａｃｉｄ）の２０００ｐｐｍ水溶液を用いる２４時間の膜の処理が必要であった。
【０１９６】
最後に、まだ個々の単位に分離されていない得られるシームレス膜袋をスプール［１１４］上に巻き取った。最後の段階に、含浸されられたスペーサー布から個々の膜袋を切断し、一体化透過路が同じ組成を有する多孔質膜物質により封入されているおかげでシームレスである０．５ｍ  ｘ  １．０ｍの膜袋を与えた。
【０１９７】
Ａｇｆａ  −Ｇｅｖａｅｒｔ  Ｎ．Ｖ．において、銀−含有廃水の処理に関し、膜型バイオリアクター中でシームレス膜袋を評価した。汚泥は粘着性の塊を形成しないことが見出され、少なくとも１５バールの圧力までバック−フラッシングが可能であった。化学的酸素要求量（ＣＯＤ）濃度における９０％より大きい低下が実現され、窒素濃度における８０％より大きい低下が実現された。
【０１９８】
本発明の実施例２
不均一スペーサー布（アイランドクロススペーサー布）のための膜ドープの組成：
【０１９９】
【表２】
2010527290.tif 000004
【０２００】
図１に略図的に示される「アイランドクロススペーサー布」の両部分の第１及び第２領域に膜ドープ４を適用するために用いられる、「静水ヘッド含浸方式（ｈｙｄｒｏｓｔａｔｉｃ  ｈｅａｄ  ｉｍｐｒｅｇｎａｔｉｏｎ  ｍｅｔｈｏｄ）」を用いる垂直コーティング装置を図１２に略図的に示す。含浸法では、スペーサー布をスプール３１からローラ
ーを超えて、膜ドープを含有する含浸ヘッド中に供給し、含浸ヘッドでは、例えばダブルドクターブレード系又はダブルローラーバー系を用いて膜ドープがスペーサー布に適用された。含浸ヘッドは、編織布と同じ幅を有するスリットを含有し、ドープが含浸ヘッドに供給された。ヘッド中のドープの高さは自動的に制御された。
【０２０１】
編織布に入るドープの容積流は、ヘッド中のドープの柱により加えられる静水圧、不織不の輸送の速度及びスペーサー布の領域の孔径に依存する。スペーサー布の輸送速度は１ｍ／分であり、静水ヘッドは高さが１０ｃｍであった。膜ドープの温度は３０℃であった。含浸ヘッドを介する通過の間に、膜ドープは「アイランドクロススペーサー布」の第１及び第２部分のそれぞれに適用され、それによりスペーサー布の「島」領域及び「外洋（ｏｃｅａｎ）」輪郭領域（端）を含浸させた。「用いられたアイランドクロススペーサー布」は、２２．５ｃｍの輸送方向に垂直な合計の幅を有した。それぞれの「閉面構造の島」（基本的な要素）の寸法は２７．５  ｘ  １８．５ｃｍであり、「外洋開面構造輪郭」領域は、図１に略図的に示す通り、島領域から離れる（ａｗａｙ  ｆｒｏｍ）すべての方向において２ｃｍであった。不織布の合計の厚さは４ｍｍであり、２つの面の間の距離は３ｍｍであった。輪郭領域中の開口部の寸法は２ｍｍであった。
【０２０２】
含浸段階の後、スペーサー布に４秒の接触時間で水蒸気相区域（０．０３５バールの蒸気圧）を通過させ、それにより転相プロセスを起こさせ、０．３〜５μｍの孔径を有する孔を実現させ、その後、含浸スペーサー布に温水凝析浴（５０℃）を通過させて溶媒、Ｎ−メチル−ピロリドン及びグリセロールを除去した。
【０２０３】
続いて、まだ個々の袋に分離されていない得られる膜袋を、巻き取りスプール上に巻き取った。まだ分離されていない膜袋を有するスプールを、続いてｐＨ１０における２０００ｐｐｍのＮａＯＣｌ溶液中に４０℃で２時間浸漬し、次いで脱イオン水で洗浄し、乾燥した。最後に各膜袋（２９５ｍｍ  ｘ  ２０５ｍｍ）を含浸スペーサー布から切断し、一体化透過路が同じ組成を有する多孔質膜物質により封入されているおかげでシームレスであるシームレス膜袋を与えた。
【０２０４】
本発明を詳細に記述してきたが、ここで、添付の請求項中に定義される本発明の範囲から逸脱することなく、その中で多数の修正を行い得ることが当該技術分野における熟練者に明らかであろう。
【図１】
2010527290.tif 000005
【図２】
2010527290.tif 000006
【図３】
2010527290.tif 000007
【図４】
2010527290.tif 000008
【図５】
2010527290.tif 000009
【図６】
2010527290.tif 000010
【図７】
2010527290.tif 000011
【図８】
2010527290.tif 000012
【図９】
2010527290.tif 000013
【図１０】
2010527290.tif 000014
【図１１】
2010527290.tif 000015
【図１２】
2010527290.tif 000016
【国際調査報告】
2010527290.tif 000017
2010527290.tif 000018
2010527290.tif 000019